(57)【要約】【課題】所望する番組に視聴制限がかかった場合であっても、他の再生可能な番組を再生して継続して視聴をすることができるデジタル放送受信装置を提供する。【解決手段】テレビジョン放送信号と放送番組ごとに視聴対象者情報と放送番組を特定する情報が関連付けられた番組情報を受信する受信手段２と、視聴基準情報の受付手段９と、番組情報と視聴基準情報を格納する格納手段１２と、視聴対象者情報と視聴基準情報に基づきユーザが決めた視聴対象者の範囲を満たした放送番組かを判断し、満たしている場合は視聴可能フラグを、満たしていない場合は視聴不可フラグを付加する判断手段１１と、受信されたテレビジョン放送信号の放送番組が、視聴不可フラグが付加された番組情報の放送番組で、視聴可能フラグが付加された番組情報の放送番組で現時点で視聴可能な放送番組がない場合、所定の格納領域に格納された番組を再生する再生手段１５とを備える。【選択図】図１
2007251624.tif 000002
【特許請求の範囲】
【請求項１】
テレビジョン放送信号、及び放送番組ごとにあらかじめ決められた視聴対象者を示す視聴対象者情報と前記放送番組を特定するための情報とが関連付けられた番組情報を受信する受信手段と、
ユーザがあらかじめ決定した視聴対象者の範囲を示す視聴基準情報を受け付ける受付手段と、
前記受信手段によって受信された前記番組情報及び前記受付手段によって受け付けられた前記視聴基準情報を格納する格納手段と、
格納された前記番組情報に含まれる前記視聴対象者情報と前記視聴基準情報とに基づいて、前記ユーザがあらかじめ決定した視聴対象者の範囲を満たしている放送番組があるか否かを判断し、前記ユーザがあらかじめ決定した視聴対象者の範囲を満たしている放送番組の前記番組情報には視聴可能フラグを付加し、前記ユーザがあらかじめ決定した視聴対象者の範囲を満たしていない放送番組の前記番組情報には視聴不可フラグを付加する判断手段と、
前記受信手段によって受信された前記テレビジョン放送信号から構成される放送番組が、前記判断手段によって前記視聴不可フラグが付加された前記番組情報の放送番組であり、前記視聴可能フラグが付加された前記番組情報の放送番組であって現時点で視聴可能な放送番組がない場合に、あらかじめ所定の格納領域に格納された番組を再生する再生手段とを、
備えるデジタル放送受信装置。
【請求項２】
前記再生手段によって再生される前記番組は、前記ユーザがあらかじめ決定した視聴対象者の範囲を満たした番組であって、過去に放送された前記視聴可能フラグが付加された前記番組情報の放送番組である請求項１に記載のデジタル放送受信装置。
【発明の詳細な説明】
【技術分野】
【０００１】
本発明は、受信されたデジタル放送の番組の視聴制限を行うデジタル放送受信装置に関する。
【背景技術】
【０００２】
従来のアナログ放送システムに代わり、映像や音声などのコンテンツ（以下、番組とも言う）をデジタル化して、複数の番組を時分割多重したTS（Transport Stream）としてデジタル放送するシステムの開発が盛んに行われている。このようなデジタル放送システムでは、番組自体に加えて、サービス情報や番組情報を含むSI(Service Information)と呼ばれる番組配列情報が多重化されて放送される。この番組配列情報は番組表や番組内容に関する情報が記述されたテーブル形式のデータである。デジタル放送受信機側ではこのデータを利用して番組情報を得ている。番組情報としては番組名、番組内容、番組開始時刻、番組継続時間、番組ジャンル情報、放送日時などがあり、ユーザはEPG（Electronic Program Guide）機能としての番組表により番組の視聴予約や録画予約を行うことが可能となっている。また、番組ジャンル情報を用い、ユーザが入力したジャンルに対応するジャンル情報を有する番組を抽出して一覧表示することも可能となっている（下記の特許文献１を参照）。
【０００３】
また、放送が多チャンネル化することで番組内容も多様化してきている。このため、番組の内容などに応じてデジタル放送受信機を制御するための情報も送信されている。このような情報の一例としてパレンタル情報がある。このパレンタル情報は、デジタル放送受信機において番組の視聴制限を可能とするために用いられる情報である。例えば、TSではPMT（Program Map Table）の第１ループに配置する限定受信方式記述子のプライベートデータバイト領域の先頭１バイトを用いて記述される。例えば、この１バイトに「0x00」と記述されればパレンタル指定がないことを示し、「0x01」〜「0x11」と記述されれば最低年齢４〜２０に対して視聴制限があることを示す。一方、デジタル放送受信機側ではあらかじめ視聴を希望しない番組の基準を指定する基準情報を設定でき、また指定を解除するパスワードを設定できる。この視聴制限の情報と基準情報とを利用して視聴制限をする技術が下記の特許文献２に記載されている。特許文献２に記載された技術は、視聴制限するべき番組である場合にその番組を視聴できないように制御するものである。
【特許文献１】特開２００３−９０３３号公報（要約、段落００２９）
【特許文献２】特開２００４−７５１４号公報（段落００１８、００１９）
【特許文献３】特開平１０−２４２８７４号公報（段落０００５）
【発明の開示】
【発明が解決しようとする課題】
【０００４】
しかしながら、特許文献２に記載された技術では、視聴制限するべき番組である場合にその番組を視聴できないように制御するだけで、ユーザが視聴する番組を再選局する必要があり、その選局作業が煩わしいという問題がある。この再選局作業の問題を解消するものとして上記の特許文献３に記載された技術がある。特許文献３に記載された技術では、視聴制限がかかった場合に他の番組を自動的に選局することでユーザの再選局作業を不要としている。しかし、すべての番組に視聴制限がかかった場合については考慮されておらず、そのような場合には以降の視聴ができなくなってしまうという問題がある。
【０００５】
本発明は、上記問題を解決するためのものであり、所望する番組に視聴制限がかかった場合であっても、他の再生可能な番組を再生して継続して視聴をすることができるデジタル放送受信装置を提供することを目的とする。
【課題を解決するための手段】
【０００６】
上記目的を達成するために、本発明によれば、テレビジョン放送信号、及び放送番組ごとにあらかじめ決められた視聴対象者を示す視聴対象者情報と前記放送番組を特定するための情報とが関連付けられた番組情報を受信する受信手段と、ユーザがあらかじめ決定した視聴対象者の範囲を示す視聴基準情報を受け付ける受付手段と、前記受信手段によって受信された前記番組情報及び前記受付手段によって受け付けられた前記視聴基準情報を格納する格納手段と、格納された前記番組情報に含まれる前記視聴対象者情報と前記視聴基準情報とに基づいて、前記ユーザがあらかじめ決定した視聴対象者の範囲を満たしている放送番組があるか否かを判断し、前記ユーザがあらかじめ決定した視聴対象者の範囲を満たしている放送番組の前記番組情報には視聴可能フラグを付加し、前記ユーザがあらかじめ決定した視聴対象者の範囲を満たしていない放送番組の前記番組情報には視聴不可フラグを付加する判断手段と、前記受信手段によって受信された前記テレビジョン放送信号から構成される放送番組が、前記判断手段によって前記視聴不可フラグが付加された前記番組情報の放送番組であり、前記視聴可能フラグが付加された前記番組情報の放送番組であって現時点で視聴可能な放送番組がない場合に、あらかじめ所定の格納領域に格納された番組を再生する再生手段とを備えるデジタル放送受信装置が提供される。この構成により、所望する番組に視聴制限がかかった場合であっても、他の再生可能な番組を再生して継続して視聴をすることができる。なお、視聴対象者情報とは、後述する視聴可否判定情報に相当するものであり、例えば１２歳以上の者を対象としている旨の情報などである。また、放送番組を特定するための情報とは、例えば、番組名、番組内容、番組開始時刻、番組継続時間、番組ジャンル情報、放送日時などの情報である。また、視聴基準情報とは、後述する視聴制限基準情報に相当するものであり、例えばパレンタル情報（視聴対象者の情報などを含む）、放送時間帯の情報、ジャンル情報などを言う。
【０００７】
また、本発明のデジタル放送受信装置において、前記再生手段によって再生される前記番組が、前記ユーザがあらかじめ決定した視聴対象者の範囲を満たした番組であって、過去に放送された前記視聴可能フラグが付加された前記番組情報の放送番組であることは、本発明の好ましい態様である。この構成により、放送番組を視聴できないとしても、ユーザがあらかじめ決定した視聴対象者の範囲を満たした番組を継続して視聴することができる。
【発明の効果】
【０００８】
本発明のデジタル放送受信装置は、上記構成を有し、所望する番組に視聴制限がかかった場合であっても、他の再生可能な番組を再生して継続して視聴をすることができる。
【発明を実施するための最良の形態】
【０００９】
以下、本発明の実施の形態に係るデジタル放送受信装置について図１から図３を用いて説明する。図１は本発明の実施の形態に係るデジタル放送受信装置の構成を示す構成図である。図２は本発明の実施の形態に係るデジタル放送受信装置における番組視聴可否判定処理について説明するためのフローチャートである。図３は本発明の実施の形態に係るデジタル放送受信装置における番組の視聴継続処理について説明するためのフローチャートである。
【００１０】
まず、本発明の実施の形態に係るデジタル放送受信装置について図１を用いて説明する。図１に示すように、デジタル放送受信装置は、アンテナ１、チューナー２、分離部３、映像デコーダ４、音声デコーダ５、合成部６、映像出力部７、音声出力部８、ユーザ入力部９、制御部１０、番組情報管理部１１、番組情報メモリ１２、番組表作成部１３、視聴制限判定部１４、再生装置１５から構成されている。チューナー２はユーザが指示した番組を放送するチャンネルのデジタル放送電波をアンテナ１を介して受信する。そして、チューナー２は受信したデジタル放送電波に復調処理や誤り訂正処理などを施してトランスポートストリーム形式のデジタル信号を出力する。
【００１１】
分離部３は、チューナー２から出力されたトランスポートストリームをTSパケットに分離し、そのTSパケットからユーザが指示した番組の映像パケット、音声パケット、それ以外の制御情報（PSI：Program Specific Information、SI）を含む情報データを抽出する。抽出された映像パケット、音声パケット、情報データは、映像デコーダ４、音声デコーダ５、番組情報管理部１１にそれぞれ供給される。各パケットは、固定レートのストリームに変換された後に各デコーダに供給される。映像デコーダ４は分離部３で分離された映像パケットをデコード処理して映像データを復元する。音声デコーダ５は分離された音声パケットをデコード処理して音声データを復元する。合成部６は映像デコーダ４で復元された映像データ又は番組表作成部１３で作成された番組表画像データのいずれかを選択して、若しくは映像データと番組表画像データを合成して映像出力部７に出力する。
【００１２】
映像出力部７は合成部６から出力されるデータを不図示のモニタなどに表示できる映像信号に変換する。音声出力部８は音声デコーダ５から出力される音声データを不図示のスピーカなどで出力できる音声信号に変換する。ユーザ入力部９は、例えばリモコンであって、ユーザから入力される様々な指示（番組選択指示、番組表の表示指示、視聴制限基準情報の入力指示など）を制御部１０に伝えるためのものである。制御部１０は番組受信、番組情報の設定／変更、視聴制限及び番組表示などに関する指示を与えて、チューナー２、分離部３、合成部６、映像出力部７、音声出力部８、番組情報管理部１１、視聴制限判定部１４、再生装置１５を制御する。
【００１３】
番組情報管理部１１は、分離部３で抽出された情報データから番組に関する番組情報データのみを取得し、番組情報データから得られる番組情報を番組情報メモリ１２に格納して管理する。また、番組情報管理部１１はユーザからの指示に従って、番組情報メモリ１２に格納された各番組についての視聴可否判定情報を視聴制限判定部１４に提供し、視聴制限判定部１４は各番組の視聴可否を判定し、判定結果を番組情報メモリ１２に格納する。再生装置１５は、後述するように視聴可能な番組がない場合に、あらかじめ再生装置１５自身に格納されたユーザの嗜好に合った番組を再生するものである。格納される番組は、例えば以前に放送された視聴制限を受けない番組であって、ユーザの嗜好に合ったジャンルの番組などである。
【００１４】
次に、本発明の実施の形態に係るデジタル放送受信装置における番組視聴可否判定処理について図２を用いて説明する。なお、あらかじめユーザは視聴制限基準情報（パレンタルレベル、放送時間帯、ジャンル情報など）をユーザ入力部９によって入力し、入力された視聴制限基準情報が番組情報メモリ１２に格納されているものとする。図２に示すように、デジタル放送受信装置のチューナー２はデジタル放送を受信し、分離部３は映像、音声、情報データに分離する（ステップＳ２０１）。番組情報管理部１１は情報データから番組情報を取得する（ステップＳ２０２）。番組情報管理部１１は過去の番組情報が番組情報メモリ１２にあるか否かを判断し（ステップＳ２０３）、ある場合には重ね書きをし（ステップＳ２０４）、ない場合には番組情報メモリ１２に格納する（ステップＳ２０５）。
【００１５】
そして、視聴制限判定部１４は番組情報メモリ１２にある視聴制限基準情報を用いて番組情報の番組が視聴可能か否かの判定を行う（ステップＳ２０６）。視聴可能であれば視聴可能である旨のフラグを付加し（ステップＳ２０７）、視聴不可であれば視聴不可である旨のフラグを付加する（ステップＳ２０８）。なお、ここでは非契約番組も視聴不可とする。そして、視聴制限判定部１４はすべての番組の視聴可否の判定を行ったか否かを判断する（ステップＳ２０９）。すべてを行った場合には終了し、行っていない場合にはステップＳ２０２に戻る。
【００１６】
次に、本発明の実施の形態に係るデジタル放送受信装置における番組の視聴継続処理について図３を用いて説明する。なお、あらかじめユーザは視聴制限基準情報をユーザ入力部９によって入力し、入力された視聴制限基準情報が番組情報メモリ１２に格納されているものとする。図３に示すように、まず、デジタル放送受信装置において、視聴中の番組が更新されるかユーザの操作により番組が選局される（ステップＳ３０１）。制御部１０は、選局された番組について番組情報管理部１１へ視聴制限判定部１４による視聴可否判定を要求し、番組情報管理部１１は判定済みか否かを判断する（ステップＳ３０２）。判定済みの場合には番組情報管理部１１は番組情報メモリ１２から視聴可否を示すフラグを受け取る（ステップＳ３０３）。一方、未判定の場合には上述した図２の処理フローを実行する（ステップＳ３０４）。
【００１７】
番組情報管理部１１は受け取ったフラグに基づいて視聴可否を判定し（ステップＳ３０５）、視聴制限を受ける場合、番組情報メモリ１２から視聴可能な他の番組を検索し、視聴可能な番組があるか否かを判断する（ステップＳ３０６）。視聴可能な番組があった場合、番組情報管理部１１は未選局の番組を優先して制御部１０に通知し、制御部１０はチューナー２を作動させ自動選局を行う（ステップＳ３０７）。自動選局された番組は選局フラグが付加され番組情報メモリ１２に格納される（ステップＳ３０８）。そして、番組の視聴が継続される（ステップＳ３０９）。一方、ステップＳ３０６において視聴可能な番組がない場合、番組情報管理部１１は制御部１０に通知し、制御部１０は再生装置１５にあらかじめ格納されたユーザの嗜好に合った番組の再生を行う（ステップＳ３１０）。なお、ステップＳ３０６における視聴可能な番組があるか否かの判断においては、例えば視聴制限を受けていない番組であって、視聴制限基準情報に含まれるジャンル情報に対応するジャンルの番組があるか否かを基準として判断する。
【００１８】
なお、本発明のデジタル放送受信装置は、映像モニタや音声スピーカを内蔵したテレビ受像機などと一体で構成される形態であってもよく、セットトップボックス（STB）やDVD・HDDを擁した外部記録装置のようにテレビ受像機などと独立して構成される形態であってもよい。
【産業上の利用可能性】
【００１９】
本発明に係るデジタル放送受信装置は、所望する番組に視聴制限がかかった場合であっても、他の再生可能な番組を再生して継続して視聴をすることができるため、受信されたデジタル放送の番組の視聴制限を行うデジタル放送受信装置などに有用である。
【図面の簡単な説明】
【００２０】
【図１】本発明の実施の形態に係るデジタル放送受信装置の構成を示す構成図である。
【図２】本発明の実施の形態に係るデジタル放送受信装置における番組視聴可否判定処理について説明するためのフローチャートである。
【図３】本発明の実施の形態に係るデジタル放送受信装置における番組の視聴継続処理について説明するためのフローチャートである。
【符号の説明】
【００２１】
１  アンテナ
２  チューナー（受信手段）
３  分離部
４  映像デコーダ
５  音声デコーダ
６  合成部
７  映像出力部
８  音声出力部
９  ユーザ入力部（受付手段）
１０  制御部
１１  番組情報管理部（判断手段）
１２  番組情報メモリ（格納手段）
１３  番組表作成部
１４  視聴制限判定部
１５  再生装置（再生手段）
【図１】
2007251624.tif 000003
【図２】
2007251624.tif 000004
【図３】
2007251624.tif 000005